(57)【要約】【課題】無線データキャリアから読取ったデータの正常／異常を簡単に診断できるようにする。【解決手段】データ記憶手段を有する無線データキャリアのデータ記憶手段で記憶しているデータと等しい診断用データを記録した無線データキャリア診断用記録媒体を用意する。そして、データ記憶手段を有する無線データキャリアから無線通信によりデータ記憶手段で記憶しているデータを取得するとともに、無線データキャリア診断用記録媒体からその診断用データを取得する。そして、無線データキャリア診断用記録媒体から取得した診断用データと無線データキャリアから取得したデータとを比較する。その結果、両者が一致する場合には正常と診断し、一致しない場合には異常と診断する。【選択図】    図１０
2004287536.tif 000002
【特許請求の範囲】
【請求項１】
データ記憶手段を有する無線データキャリアから無線通信により前記データ記憶手段で記憶しているデータを取得するキャリアデータ取得手段と、
前記無線データキャリアのデータ記憶手段で記憶しているデータと等しい診断用データを記録した無線データキャリア診断用記録媒体からその診断用データを取得する診断用情報取得手段と、
この診断用情報記憶手段により前記無線データキャリア診断用記録媒体から取得した診断用データと前記キャリアデータ取得手段により前記無線データキャリアから取得したデータとを比較するデータ比較手段と、
このデータ比較手段による比較の結果、両者が一致する場合には正常と診断し、一致しない場合には異常と診断する診断手段と、
を具備したことを特徴とする無線データキャリア診断装置。
【請求項２】
前記無線データキャリア診断用記録媒体は、前記無線データキャリアのデータ記憶手段で記憶しているデータと等しい診断用データを表記し、その診断用データと等しいデータを記憶した前記無線データキャリアとともに物品に貼付け可能なラベルであることを特徴とする請求項１記載の無線データキャリア診断装置。
【請求項３】
データ記憶手段を有する無線データキャリアの前記データ記憶手段で記憶しているデータと等しい診断用データを記録した無線データキャリア診断用記録媒体を用意し、
前記から無線データキャリアから無線通信により前記データ記憶手段で記憶しているデータを取得するとともに、前記無線データキャリア診断用記録媒体からその診断用データを取得し、
この診断用情報記憶手段により前記無線データキャリア診断用記録媒体から取得した診断用データと前記キャリアデータ取得手段により前記無線データキャリアから取得したデータとを比較して、その結果、両者が一致する場合には正常と診断し、一致しない場合には異常と診断することを特徴とする無線データキャリア診断方法。
【請求項４】
前記無線データキャリア診断用記録媒体は、前記無線データキャリアのデータ記憶手段で記憶しているデータと等しい診断用データを表記し、その診断用データと等しいデータを記憶した前記無線データキャリアとともに物品に貼付け可能なラベルであることを特徴とする請求項３記載の無線データキャリア診断方法。
【請求項５】
無線データキャリアのデータ記憶手段に対して無線通信により所定のデータを書込むキャリアデータ書込み手段と、
このキャリアデータ書込み手段により書込んだデータと等しい診断用データを記録した無線データキャリア診断用記録媒体を発行する媒体発行手段と、
を具備したことを特徴とする無線データキャリア診断用記録媒体作成装置。
【請求項６】
前記無線データキャリア診断用記録媒体は、前記キャリアデータ書込み手段により書込んだデータと等しい診断用データを表記し、その診断用データと等しいデータを記憶した前記無線データキャリアとともに物品に貼付け可能なラベルであることを特徴とする請求項５記載の無線データキャリア診断用記録媒体作成装置。
【発明の詳細な説明】
【０００１】
【発明の属する技術分野】
本発明は、データ記憶手段とデータ通信手段とを有する無線データキャリアの診断装置及び方法並びに診断に用いる無線データキャリア診断用記録媒体の作成装置に関する。
【０００２】
【従来の技術】
近年、固有の無線ＩＤが設定されるとともに情報の書換可能なメモリエリアを有し、無線を利用して非接触で無線ＩＤの読出しや、任意の情報の書込み及び読出しが可能な無線データキャリアが注目されている。
【０００３】
例えば、郵便物，宅配物，商品等の配送を伴う物品にそれぞれ無線データキャリアを添付し、配送過程の各拠点で物品に添付された無線データキャリアのデータを読出し記録することによって、物品の配送に関する情報を追跡可能とした技術がある。（例えば、特許文献１参照）。
【０００４】
また、このものにおいて、拠点によっては無線データキャリアのデータを取得する装置が導入されていないことも考慮し、無線データキャリアとバーコードとを併用して物品を管理するようにした技術も知られている（例えば、特許文献２参照）。
【０００５】
さらに、荷物の荷物貼付付票に無線タグとこの無線タグのデータと１対１で対応する情報を表わすバーコードを設けるとともに、配送管理付票に同じバーコードを設ける。そして集荷先では、荷物貼付付票から無線タグリーダで無線タグ情報を読取るとともにバーコードリーダでバーコード情報を読取り、両情報をセットで携帯端末装置に記憶して、荷物とともに携帯端末装置を集荷受入先に移送する。一方、集荷受入先では、荷物貼付付票から無線タグリーダで無線タグ情報を読取る。また、配送管理付票からバーコードを読取る。そして、荷物貼付付票から読取った無線タグ情報と携帯端末装置に記憶された集荷先での無線タグ情報と比較して、一致しない場合には荷物が不足と判断する。また、配送管理付票から読取ったバーコード情報と携帯端末装置に記憶された集荷先でのバーコード情報とを比較して、一致しない場合には伝票が不足と判断するというものも知られている（例えば、特許文献３参照）。
【０００６】
【特許文献１】
特開平１１−１７５６２１号公報
【０００７】
【特許文献２】
特開平１１−９６４６３号公報
【０００８】
【特許文献３】
特開２００１−８０７０９
【０００９】
【発明が解決しようとする課題】
ところで一般に、無線データキャリアは、データを書換可能に記憶する手段としてＩＣメモリを使用しているため、外部から大きな衝撃が加えられたり磁気が加えられたりして、記憶保持しているデータが化けてしまうことがある。このようなデータ異常が無線データキャリアに発生した場合、従来の無線データキャリアからのデータ読取装置では、読取ったデータが正常なものなのか否かを判断することはできなかった。
【００１０】
本発明はこのような事情に基づいてなされたものであり、その目的とするところは、無線データキャリアから読取ったデータの正常／異常を簡単に診断できる無線データキャリア診断装置及び方法並びに診断に用いる無線データキャリア診断用記録媒体の作成装置を提供しようとするものである。
【００１１】
【課題を解決するための手段】
本発明は、データ記憶手段を有する無線データキャリアのデータ記憶手段で記憶しているデータと等しい診断用データを記録した無線データキャリア診断用記録媒体を用意する。そして、データ記憶手段を有する無線データキャリアから無線通信によりデータ記憶手段で記憶しているデータを取得するとともに、無線データキャリア診断用記録媒体からその診断用データを取得する。そして、無線データキャリア診断用記録媒体から取得した診断用データと無線データキャリアから取得したデータとを比較し、その結果、両者が一致する場合には正常と診断し、一致しない場合には異常と診断するようにしたものである。
【００１２】
【発明の実施の形態】
以下、本発明の実施の形態を図面を用いて説明する。
なお、この実施の形態は、記録扱い郵便物の１種である書留郵便物に無線データキャリアの１例として無線タグを添付し、書留郵便物の引受局においては、その書留郵便物に対して一意に設定される引受番号を無線タグに記録し、中継局及び配達局においては、無線タグに記録された引受番号を読取って書留郵便物の査数・照合を行なう書留郵便物管理システムに本発明を適用した場合である。
【００１３】
図１は本実施の形態である書留郵便物管理システムの全体構成を示す模式図である。このシステムは、差出人から書留郵便物６を引き受ける引受局１のシステムと、書留郵便物６を中継する中継局２及び配達する配達局３のシステムと、書留郵便物６の追跡記録を管理する情報センタ４のシステムとからなる。なお、引受局１，中継局２及び配達局３は便宜上分けたものであり、１つの郵便局が引受局１にもなり得、中継局２にもなり得、配達局３にもなり得るものである。
【００１４】
各局１，２，３には、それぞれ局内サーバ１１，２１，３１として機能するコンピュータを設置している。また情報センタ４には、その中枢を担う管理用コンピュータ４１を設置している。そして、各局内サーバ１１，２１，３１と管理用コンピュータ４１とを、ネットワーク５を介して相互通信自在に接続している。
【００１５】
引受局１には、窓口端末１２とＩＣカードリーダ・ライタ１３とを設置している。そして、窓口端末１２とＩＣカードリーダ・ライタ１３とを、それぞれ前記局内サーバ１１に通信回線を介して接続している。
【００１６】
図２は前記窓口端末１２の要部構成を示すブロック図である。この窓口端末１２は、引受局１の書留郵便引受窓口近傍に置かれるものであり、無線タグリーダ・ライタ１２１、メモリ１２２，時計部１２３，通信部１２４，操作・表示部１２５，ラベルプリンタ１２６及びこれらを制御するコントローラ１２７を備えている。
【００１７】
無線タグリーダ・ライタ１２１は、アンテナＡＮＴの無線通信領域内にある無線タグ７に対してデータの書込みや読取りを行なうものであり、その要部構成を図３に示す。すなわち無線タグリーダ・ライタ１２１は、コントローラ１２７とのインタフェース部１２１１、ＣＰＵ，ＲＯＭ，ＲＡＭ等で構成される制御部１２１２、無線タグ７への書込みデータを変調する変調部１２１３、変調電波を増幅してアンテナＡＮＴから放射させる送信アンプ１２１４、アンテナＡＮＴで受信した電波を増幅する受信アンプ１２１５及び増幅された受信電波を復調する復調部１２１６から構成している。
【００１８】
無線タグ７の要部構成を図４に示す。無線タグ７は、送受信可能なタグアンテナ７１とＬＳＩチップ７２とを基板に一体成形した独立の部品である。タグアンテナ７１は、矩形状に成形されたループコイル等からなる。ＬＳＩチップ７２は、タグアンテナ７１で受信した変調電波の整流と安定化を行なうことによりＬＳＩチップ７２の各部に電源を供給する電源生成部７２１、上記変調電波を復調して制御部７２４へ送出する復調部７２２、制御部７２４から送出されたデータを変調してタグアンテナ７１に送出する変調部７２３、復調部７２２で復調されたデータのメモリ７２５への書込みや、メモリ７２５から送信データを読み出して変調部７２３へ送出する制御部７２４及びメモリ７２５で構成している。メモリ７２５は、当該無線タグ７の製造段階で製造業者により割当て設定された固有の無線ＩＤ（ＲＦＩＤ）を記憶する無線ＩＤエリア７２５ａと、ユーザが任意のデータを書込むことができるユーザエリア７２５ｂとからなる。
【００１９】
図２に説明を戻す。メモリ１２２は、当該窓口端末１２が設けられている引受局１を特定するための局コードを記憶するエリアや、１から順に１ずつアップする連続番号を計数するカウンタのエリア等を形成している。時計部１２３は、現在の日付及び時刻を計時する。通信部１２４は、通信回線で接続された局内サーバ１１とデータ通信を行なう。操作・表示部１２５は、オペレータが各種情報を入力するのに供する。ラベルプリンタ１２６は、バーコードラベル８を印刷する。
【００２０】
コントローラ１２７は、操作・表示部１２５の操作入力により、書留郵便物６の配達地域を管理する配達局コードが入力されると、図５の流れ図に示す手順で各部を制御する。すなわちコントローラ１２７は、先ず、ＳＴ（ステップ）１として無線タグリーダ・ライタ１２１に対してＩＤ指定なしの無線ＩＤ問合せコマンドを送出する。すると、無線タグリーダ・ライタ１２１で無線ＩＤ問合せコマンドが変調され、アンテナＡＮＴから電波で発信される。
【００２１】
このとき、アンテナＡＮＴの無線通信領域内に位置しており、タグアンテナ７１で無線ＩＤ問合せコマンドの電波を受信した無線タグ７が存在すると、この無線タグ７では、電源生成部７２１から各部に電源が供給される。そして、復調部７２２で復調された無線ＩＤ問合せコマンドに応じて制御部７２４が作用して、メモリ７２５の無線ＩＤエリア７２５ａから無線ＩＤが読み出され、この無線ＩＤが付加されたＡＣＫ応答として変調部７２３で無線送信に適した形態に変調された後、タグアンテナ７１から外部に電波で発信される。タグアンテナ７１から発信されたＡＣＫ応答の電波は、無線タグリーダ・ライタ１２１のアンテナＡＮＴで受信され、ＡＣＫ応答データとして無線タグリーダ・ライタ１２１を介してコントローラ１２７に送出される。
【００２２】
そこでコントローラ１２７は、無線ＩＤ問合せコマンドを送出後、ＳＴ２として無線タグ７からのＡＣＫ応答データを待機する。そして、ＡＣＫ応答データを受信したならば、ＳＴ３としてメモリ１２２のカウンタを“１”だけカウントアップし、そのカウント値に局コードを付加することにより、当該書留郵便物６を特定するための固有の引受番号を発番する。しかる後、コントローラ１２７は、ＳＴ４として無線タグリーダ・ライタ１２１に対してＡＣＫ応答データに付加された無線ＩＤを指定し、上記引受番号の書込みコマンドを送出する。すると、無線タグリーダ・ライタ１２１で引受番号書込みコマンドが変調され、無線ＩＤが指定された無線タグ７に対してアンテナＡＮＴから電波で発信される。
【００２３】
このとき、無線ＩＤが指定された無線タグ７がアンテナＡＮＴの無線通信領域内に位置していた場合には、当該無線タグ７では、復調部７２２で復調された引受番号書込みコマンドに応じて制御部７２４が作用して、メモリ７２５のユーザエリア７２５ｂに当該引受番号を書込む（キャリアデータ書込み手段）。
【００２４】
また、コントローラ１２７は、ＳＴ５として無線タグ７に書込んだデータと等しいデータ、つまり引受番号を当該無線タグ７の診断用データとして記録したタグ診断ラベルの発行をラベルプリンタ１２６に指令する。この指令を受けてラベルプリンタ１２６は、引受番号をバーコードで示したバーコードシンボルをラベル用紙に印刷したバーコードラベル８を発行する（媒体発行手段）。以下、このバーコードラベル８をタグ診断ラベル８と称する。
【００２５】
その後、コントローラ１２７は、ＳＴ６として、無線タグ７から取得した無線ＩＤと、当該書留郵便物６に対して設定された引受番号と、当該書留郵便物６の引受局コード及び配達局コードと、時計部１２３にて計時されている引受日時とからなる引受データを作成する。そして、この引受データを通信部１２４を介して局内サーバ１１に送信したならば、今回の制御を終了する。
【００２６】
ここに、窓口端末１２は、無線データキャリア診断用記録媒体作成装置として機能し、そのコントローラ１２７と無線タグリーダ・ライタ１２１とによってキャリアデータ書込み手段を構成し、コントローラ１２７とラベルプリンタ１２６とによって媒体発行手段を構成している。
【００２７】
局内サーバ１１は、ネットワーク５を介して上記引受データを管理用コンピュータ４１に送信する。管理用コンピュータ４１は、上記引受データを受信すると、そのデータの引受番号をキーとするレコードを書留データベース４２に作成する。そして、このレコードに上記引受データの無線ＩＤと引受情報（引受局コード，引受日時等）を登録するものとなっている。
【００２８】
さて、引受局１では、窓口担当者が差出人から書留郵便物６を引き受けると、先ず、操作・表示部１２５を操作して当該郵便物６の配達局コードを入力する。すると、窓口端末１２が動作して、当該郵便物６を特定する一意の引受番号が生成される。そこで窓口担当者は、予め用意された新規の無線タグ７を窓口端末１２に設けられたアンテナＡＮＴの無線通信領域内にかざす。すると、当該郵便物６の引受番号が無線タグ７のメモリ７２５のユーザエリア７２５ｂに書込まれて記憶される。また、引受番号をバーコード化したタグ診断ラベル８がラベルプリンタ１２６から印刷発行される。そこで窓口担当者は、図６に示すように、この無線タグ７をタグ診断ラベル８で覆い隠すように当該郵便物６に貼り付けて、引受作業を完了する。
【００２９】
その後、引受局では、引き受けた全ての書留郵便物６について送達先別に仕分ける。そして、送達先毎に書留郵便物６をまとめて郵袋ケース９に収容するとともに、その仕分けデータを局内サーバ１１に登録する。すると、ＩＣカードリーダ・ライタ１３が動作して、郵袋ケース９毎にそのケース９に収容された書留郵便物６の総数（書留郵便総数）と各郵便物６毎の引受番号のリストとを郵袋データとして記録したＩＣカード９１が発行される。そこで、郵袋ケース９に対応するＩＣカード９１を付して配達局３に直接、又は中継局２を介して輸送する。
【００３０】
以上が引受局１の概略であり、次に中継局２と配達局３の概略について説明する。中継局２及び配達局３には、それぞれ前段の局から届けられた郵袋ケース９に収容されている書留郵便物６の査数・照合を、ケース９を開封することなく行なうことができる査数・照合端末２２，３２を設けている。また、本発明の無線データキャリア診断装置として機能する無線タグ診断装置２３，３３を設けている。
【００３１】
はじめに、査数・照合端末２２，３２について説明する。なお、中継局２の査数・照合端末２２と配達局３の査数・照合端末３２とは同一構成なので、一方（中継局２の査数・照合端末２２）について説明し、他方（配達局３の査数・照合端末３２）の説明は省略する。
【００３２】
図７は査数・照合端末２２の要部構成を示すブロック図であり、無線タグリーダ・ライタ２２１、メモリ２２２，時計部２２３，通信部２２４，操作・表示部２２５，ＩＣカードリーダ２２６及びこれらを制御するコントローラ２２７を備えている。
【００３３】
無線タグリーダ・ライタ２２１は、アンテナＡＮＴの無線通信領域内にある無線タグ７に対してデータの書込みや読取りを行なうものであり、その要部構成は図３で説明したとおりである。なお、査数・照合端末２２の場合は、書込み機能を持たない無線タグリーダを採用してもよい。
【００３４】
メモリ２２２は、当該査数・照合端末２２が設けられている中継局２を特定するための局コード等を記憶するエリアや、１から順に１ずつアップする連続番号を計数するカウンタのエリア等を形成している。時計部２２３は、現在の日付及び時刻を計時する。通信部２２４は、通信回線で接続された局内サーバ２１とデータ通信を行なう。操作・表示部２２５は、オペレータが各種情報を入力するのに供する。ＩＣカードリーダ２２６は、郵袋ケース９に付されたＩＣカード９１の郵袋データを読取るものである。
【００３５】
コントローラ２２７は、操作・表示部２２５の操作入力により、書留郵便物６の査数・照合業務開始が指令されると、図９の流れ図に示す手順で各部を制御する。すなわちコントローラ２２７は、先ず、ＳＴ１１としてＩＣカードリーダ２２６を介してＩＣカード９１の郵袋データを取得する。次に、ＳＴ１２として当該ＩＣカード９１から読取った郵袋データの書留郵便総数Ａを記憶する。また、ＳＴ１３としてメモリ２２２のカウンタのカウント値Ｎを“０”に初期化する。
【００３６】
次に、コントローラ２２７は、ＳＴ１４として無線タグリーダ・ライタ２２１のアンテナＡＮＴの無線通信領域内にある無線タグ７の認識処理を開始する。具体的には、無線タグリーダ・ライタ２２１に対してＩＤ指定なしの無線ＩＤ問合せコマンドを送出する。すると、無線タグリーダ・ライタ２２１で無線ＩＤ問合せコマンドが変調され、アンテナＡＮＴから電波で発信される。
【００３７】
このとき、アンテナＡＮＴの無線通信領域内に位置しており、タグアンテナ７１で無線ＩＤ問合せコマンドの電波を受信した無線タグ７が存在すると、この無線タグ７では、電源生成部７２１から各部に電源が供給される。そして、復調部７２２で復調された無線ＩＤ問合せコマンドに応じて制御部７２４が作用して、メモリ７２５から無線ＩＤエリア７２５ａに格納されている無線ＩＤが読み出され、この無線ＩＤが付加されたＡＣＫ応答として変調部７２３で無線送信に適した形態に変調された後、タグアンテナ７１から外部に電波で発信される。タグアンテナ７１から発信されたＡＣＫ応答の電波は、無線タグリーダ・ライタ２２１のアンテナＡＮＴで受信され、ＡＣＫ応答データとして無線タグリーダ・ライタ２２１を介してコントローラ２２７に送出される。
【００３８】
そこでコントローラ２２７は、無線ＩＤ問合せコマンドを送出後、ＳＴ１５として無線タグ７を検出するのを待機する。そして、無線タグ７からのＡＣＫ応答データを受信したならば、ＳＴ１６として当該ＡＣＫ応答データに含まれる無線ＩＤを指定し、無線ＩＤ問合せコマンドと同様にユーザエリア読込みコマンドを送信して、当該無線ＩＤが設定された無線タグ７のメモリ７２５におけるユーザエリア７２５ｂのデータを取得する。そして、データを取得後、コントローラ２２７は、ＳＴ１７として当該データを無線タグ７が付された書留郵便物６の引受番号とみなし、ＩＣカード９１から読取った郵袋データの引受番号リストを検索する。その結果、ＳＴ１８として引受番号リストの中に今回取得した引受番号が存在する場合には、ＳＴ１９としてカウンタのカウント値Ｎを“１”だけカウントアップする。これに対し、引受番号リストの中に今回取得した引受番号が存在しない場合にはカウントアップせず、ＳＴ２０として無線タグ７から取得し引受番号とみなしたデータを異常タグデータとしてメモリ２２２で記憶する。
【００３９】
コントローラ２２７は、無線タグ７からのＡＣＫ応答データを受信する毎に、上記ＳＴ１６〜ＳＴ２０の各処理を実行する。そして、無線ＩＤ問合せコマンドの送信から一定時間が経過し、ＳＴ２１として無線タグ７の認識処理が終了すると、コントローラ２２７は、ＳＴ２２としてカウンタのカウント値Ｎが書留郵便総数Ａに一致しているか否かを判断する。その結果、一致している場合には、郵袋ケース９内に収容されている書留郵便物６の査数・照合が異常無しなので、ＳＴ２４として差数・照合の正常終了を報知する。例えば、操作・表示部２２５に異常なしの表示を行なう。
【００４０】
これに対し、一致していない場合には、書留郵便物６が不足していたり、他の配達先への郵便物が混入していたりする場合が考えられるので、ＳＴ２４として異常終了を報知する。例えば、操作・表示部２２５に異常有りの表示を行なう。このとき、異常タグデータとして記憶しておいたデータ、つまりは無線タグ７のユーザエリア７２５ｂから読取ったデータを表示させる。なお、査数・照合端末２２，３２に別途プリンタを接続し、カウント値Ｎが書留郵便総数Ａに一致しなかった場合に異常タグデータをプリントアウトするようにしてもよい。
【００４１】
その後、コントローラ２２７は、ＳＴ２５として、自己の局コードと、時計部２２３から読取った到着日時と、無線タグ７から取得した全ての引受番号とから差数・照合データを作成し、この査数・照合データを通信部２２４を介して局内サーバ２１に送信して、今回の制御を終了する。
【００４２】
局内サーバ２１，３１は、ネットワーク５を介して上記査数・照合データを管理用コンピュータ４１に送信する。管理用コンピュータ４１は、中継局２の局内サーバ２１から上記査数・照合データを受信すると、書留データベース４２を検索し、そのデータの引受番号をキーとするレコードに中継情報（中継局コード，到着日時等）を登録する。また管理用コンピュータ４１は、配達局３の局内サーバ３１から上記査数・照合データを受信した場合には、書留データベース４２を検索し、そのデータの引受番号をキーとするレコードに配達情報（配達局コード，到着日時等）を登録する。
【００４３】
書留データベース４２には、引受番号をキーとして、その引受番号が設定された書留郵便物６の引受から配達までの各段階の局コードや日時等が記録される。したがって、書留データベース４２を参照することによって、書留郵便物６を個々に追跡調査することができる。
【００４４】
次に、無線タグ診断装置２３，３３について説明する。なお、中継局２の無線タグ診断装置２３と配達局３の無線タグ診断装置３３とは同一構成なので、一方（中継局２の無線タグ診断装置２３）について説明し、他方（配達局３の無線タグ診断装置３３）の説明は省略する。
【００４５】
図８は無線タグ診断装置２３の要部構成を示すブロック図であり、無線タグリーダ・ライタ２３１、メモリ２３２，操作・表示部２３３，バーコードスキャナ２３４及びこれらを制御するコントローラ２３５を備えている。
【００４６】
無線タグリーダ・ライタ２３１は、アンテナＡＮＴの無線通信領域内にある無線タグ７に対してデータの書込みや読取りを行なうものであり、その要部構成は図３で説明したとおりである。なお、無線タグ診断装置２３の場合も査数・照合端末２２と同様に、書込み機能を持たない無線タグリーダを採用してもよい。
【００４７】
メモリ２３２は、無線タグリーダ・ライタ２３１によって取得したデータやバーコードスキャナ２３４で読取ったデータを記憶するためのエリア等を形成している。操作・表示部２３３は、オペレータが各種情報を入力するのに供する。バーコードスキャナ２３４は、タグ診断ラベル８に印刷されているバーコードの読取りに供する。
【００４８】
コントローラ２３５は、操作・表示部２３３の操作入力により、無線タグ７の診断開始が指令されると、図１０の流れ図に示す手順で各部を制御する。すなわちコントローラ２３５は、先ず、ＳＴ３１として無線タグリーダ・ライタ２３１に対してＩＤ指定なしの無線ＩＤ問合せコマンドを送出する。すると、無線タグリーダ・ライタ２３１で無線ＩＤ問合せコマンドが変調され、アンテナＡＮＴから電波で発信される。
【００４９】
このとき、アンテナＡＮＴの無線通信領域内に位置しており、タグアンテナ７１で無線ＩＤ問合せコマンドの電波を受信した無線タグ７が存在すると、この無線タグ７では、電源生成部７２１から各部に電源が供給される。そして、復調部７２２で復調された無線ＩＤ問合せコマンドに応じて制御部７２４が作用して、メモリ７２５の無線ＩＤエリア７２５ａから無線ＩＤが読み出され、この無線ＩＤが付加されたＡＣＫ応答として変調部７２３で無線送信に適した形態に変調された後、タグアンテナ７１から外部に電波で発信される。タグアンテナ７１から発信されたＡＣＫ応答の電波は、無線タグリーダ・ライタ１２１のアンテナＡＮＴで受信され、ＡＣＫ応答データとして無線タグリーダ・ライタ１２１を介してコントローラ１２７に送出される。
【００５０】
そこでコントローラ２３５は、無線ＩＤ問合せコマンドを送出後、ＳＴ３２として無線タグ７からのＡＣＫ応答データを待機する。そして、ＡＣＫ応答データを受信したならば、ＳＴ３３として当該ＡＣＫ応答データに含まれる無線ＩＤを指定し、無線ＩＤ問合せコマンドと同様にユーザエリア読込みコマンドを送信して、当該無線ＩＤが設定された無線タグ７のメモリ７２５におけるユーザエリア７２５ｂのデータを取得する（キャリアデータ取得手段）。
【００５１】
次に、コントローラ２３５は、ＳＴ３４としてバーコードスキャナ２３４を読取り動作させて、タグ診断ラベル８のバーコードデータを取得する（診断用情報取得手段）。そして、当該バーコードデータを取得したならば、ＳＴ３５としてこのバーコードデータと無線タグ７のユーザエリア７２５ｂから取得したデータとを比較する（データ比較手段）。
【００５２】
その結果、両者が一致する場合には、無線タグ７のユーザエリア７２５ｂに書込まれているデータが化けておらず無線タグ７が正常であると判断して、ＳＴ３６として無線タグ正常を報知する。例えば、操作・表示部２３３に異常なしの表示を行なう。これに対し、両者が一致しない場合には、無線タグ７のユーザエリア７２５ｂに書込まれているデータが化けている可能性があり無線タグ７が異常であると判断して、ＳＴ３７として無線タグ異常を報知する。例えば、操作・表示部２３３に異常有りの表示を行なう（診断手段）。以上で、コントローラ２３５は、今回の処理を終了する。
【００５３】
さて、中継局２及び配達局３では、前段の局から書留郵便物６の郵袋ケース９が届けられると、局員は、その郵袋ケース９を開封することなく、査数・照合端末２２（３３）のアンテナＡＮＴの無線通信領域内に置く。そして、査数・照合端末２２（３３）の操作・表示部２２５を操作して書留郵便物６の査数・照合業務開始を指令し、当該郵袋ケース９に付されたＩＣカード９１の郵袋データをＩＣカードリーダ２２６で読取らせる。すると、無線タグリーダ・ライタ２２１を介して郵袋ケース９内の書留郵便物６に添付されている無線タグ７のユーザエリア７２５ｂに書込まれているデータが順次読取られる。そして、ＩＣカード９１に記憶されている郵袋データの引受番号リストと照合され、リストと一致するデータの数が計数される。その結果、リストと一致するデータの数が当該郵袋データの書留郵便総数に一致した場合には、査数・照合の結果が正常であると報知される。
【００５４】
ところが、引受番号リストと一致するデータの数が書留郵便総数に一致しなかった場合には、査数・照合の結果が異常であると報知される。このとき、引受番号リストと一致しなかった無線タグ７のユーザエリア７２５ｂに記憶されているデータが異常タグデータとして表示される。
【００５５】
そこで局員は、郵袋ケース９を開封してその中から異常タグデータとして表示されたデータがタグ診断ラベル８に表記されている書留郵便物６を取り出す。そして、この書留郵便物６を無線タグ診断装置２３（３３）のアンテナＡＮＴの無線通信領域内に置く。そして、無線タグ診断装置２３（３３）の操作・表示部２３３を操作して診断開始を指令する。すると、無線タグ診断装置２３（３３）によって当該書留郵便物６に添付された無線タグ７のユーザエリア７２５ｂに記憶されているデータが読取られるので、局員は、無線タグ診断装置２３（３３）のバーコードスキャナ２３４を操作して当該書留郵便物６に添付されたタグ診断ラベル８のバーコードをスキャニングする。すると、このスキャニングされたバーコードデータと無線タグ７のユーザエリア７２５ｂから読取られたデータとが比較される。そして、両者が一致する場合には正常が報知され、一致しない場合には異常が報知される。
【００５６】
したがって、本実施の形態によれば、無線タグ７のユーザエリア７２５ｂに記憶されているデータ（引受番号）が、例えば書留郵便物６の移送の最中に他のデータに化けてしまった場合でも、無線タグ診断装置２３，３３を操作することにより簡単かつ短時間にその異常を検知することができる。また、データ化け以外にデータを読取ることができなくなった無線タグ７も容易に検知することができる。
【００５７】
また、本実施の形態によれば、窓口端末１２を操作して無線タグ７のユーザエリア７２５ｂに必要なデータを書込ませる際に、そのデータに対応したタグ診断ラベル８が自動的に発行されるので、タグ診断ラベル８を得るための格別な操作が不要である。また、タグ診断ラベル８が確実に発行されるので、郵便物６への貼り忘れを防止できる。
【００５８】
しかも、無線データキャリア診断用記録媒体をタグ診断ラベル８としたので、物品に無線タグ７を貼り付ける際に、タグ診断ラベル８を用いて無線タグ７を貼り付けることができる。こうすることにより、無線タグ７の近傍にタグ診断ラベル８を設けることができるので、仮に物品に複数のバーコードラベルが貼付されていたとしても、無線タグ７の診断の際にどのバーコードラベルをスキャニングすればよいのかを容易に判断できるようになる。
【００５９】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素からいくつかの構成要素を削除してもよい。更に、異なる実施形態にわたる構成要素を適宜組み合わせてもよい。
【００６０】
例えば、前記実施の形態では、タグ診断ラベル８に表記するデータをバーコードとしたが、文字や２次元コード等であってもよい。また、無線データキャリア診断用記録媒体をラベルとせず、ＩＣカードや磁気テープに無線タグ７に書込んだデータと等しいデータを記憶させて、無線データキャリア診断用記録媒体としてもよい。
【００６１】
また、前記実施の形態では、無線タグ診断装置２３，３３をスタンド・アロン型としたが、インタフェース部を設け、局内サーバ２１，３１に通信回線で接続して、診断結果を局内サーバ２１，３１から情報センタ４の管理用コンピュータ４１に通知するようにしてもよい。こうすることにより、情報センタにおいて、書留郵便物６に添付された無線タグ７の異常を一元管理できる効果を奏する。
【００６２】
また、前記実施の形態では、無線タグ７の診断を専用に行なう装置に本発明を適用したが、無線タグ７を診断して正常であるとき、その無線タグ７から読みった情報を処理する無線タグ読取り処理装置に本発明の診断機能を付加することもできる。
【００６３】
【発明の効果】
以上詳述したように本発明によれば、無線データキャリアから読取ったデータの正常／異常を簡単に診断できる無線データキャリア診断装置及び方法並びに診断に用いる無線データキャリア診断用記録媒体の作成装置を提供できる。
【図面の簡単な説明】
【図１】本発明の一実施の形態である書留郵便物管理システムの全体構成を示す模式図。
【図２】同実施の形態における窓口端末の要部構成を示すブロック図。
【図３】同実施の形態における無線タグリーダ・ライタの要部構成を示すブロック図。
【図４】同実施の形態における無線タグの要部構成を示すブロック図。
【図５】同実施の形態における窓口端末のコントローラが実行する主要な制御手順を示す流れ図。
【図６】同実施の形態において書留郵便物に無線タグとタグ診断ラベルとを貼り付けた状態を示す模式図。
【図７】同実施の形態における査数・照合端末の要部構成を示すブロック図。
【図８】同実施の形態における無線タグ診断装置の要部構成を示すブロック図。
【図９】同実施の形態における査数・照合端末のコントローラが実行する主要な制御手順を示す流れ図。
【図１０】同実施の形態における無線タグ診断装置のコントローラが実行する主要な制御手順を示す流れ図。
【符号の説明】
１…引受局、２…中継局、３…配達局、４…情報センタ、６…書留郵便物、７…無線タグ（無線データキャリア）、８…タグ診断ラベル、９…郵袋ケース、１１，２１，３１…局内サーバ、１２…窓口端末、１３…ＩＣカードリーダ・ライタ、２２，３２…差数・照合端末、２３，３３…無線タグ診断装置、４１…管理用コンピュータ。
【図１】
2004287536.tif 000003
【図２】
2004287536.tif 000004
【図３】
2004287536.tif 000005
【図４】
2004287536.tif 000006
【図５】
2004287536.tif 000007
【図６】
2004287536.tif 000008
【図７】
2004287536.tif 000009
【図８】
2004287536.tif 000010
【図９】
2004287536.tif 000011
【図１０】
2004287536.tif 000012